(57)【要約】      （修正有）【課題】容器本体の荷重によって容器本体と蓋部を係止させるとともに、補助的な係止部材を有しながら、その係止部材を１度の動作で係止出来る容器を提供する。【解決手段】容器本体２と、蓋部３と、一端部４ａ側において傾斜して突設された第一係止部材当接部を備えている第一係止部材４と、中央部５ａにおいて突設された第二係止部材突起部を備えており、閉蓋状態において第一係止部材４を間に挟む両端部５ｂ側において容器本体２に設けられた第二係止部材５を有し、第一係止部材当接部が、容器本体２の荷重によって容器本体２の側面に突設された容器本体当接部と係止することにより容器本体２と蓋部３を係止し、第二係止部材突起部が、蓋部３に突設された蓋部突起部と係止することにより容器本体２と蓋部３を係止させることにより解決することができた。【選択図】図１
2015113172.tif 000002
【特許請求の範囲】
【請求項１】
物品を収納する容器本体と、
前記容器本体に対して開閉可能である蓋部と、
一端部側において他端部側に向かって傾斜して突設された第一係止部材当接部を備えており、他端部側において前記蓋部に設けられた第一係止部材と、
中央部において突設された第二係止部材突起部を備えており、閉蓋状態において前記第一係止部材を間に挟む両端部側において前記容器本体に設けられた第二係止部材を有し、
前記第一係止部材当接部が、前記容器本体の荷重によって前記容器本体の側面に蓋部側とは反対に傾斜して突設された容器本体当接部と係止することにより前記容器本体と前記蓋部を係止し、
前記第二係止部材突起部が、前記蓋部に突設された蓋部突起部と係止することにより前記容器本体と前記蓋部を係止することを特徴とする収納容器。
【請求項２】
前記第一係止部材及び前記第二係止部材により、前記容器本体と前記蓋部を係止した状態において、
第一係止部材の一端部の端面と前記第二係止部材の両端部の端面が面一であることを特徴とする請求項１に記載の収納容器。
【請求項３】
前記蓋部の天面に回動可能に設けられたハンドルを有することを特徴とする請求項１又は請求項２に記載の収納容器。
【発明の詳細な説明】
【技術分野】
【０００１】
本発明は、釣り道具、キャンプ道具、防災備品、飲食物、工具などの物品を収納するための収納容器に関する。
【背景技術】
【０００２】
従来、種々の道具、食品等を収納、運搬するために蓋を有する箱状の容器が使用され、持ち運びしやすいようにハンドルを備えた容器として様々なものが知られている。
【０００３】
例えば、特許文献１には、開閉自在の蓋部と、被収容物を収容する容器部と、容器本体の側面に形成された係止部と係止するため蓋部に形成された係止部材と、係止部材の両側に設けられた２個の補助止め具を備えた直方体形状の収納ケースが開示されている。
【先行技術文献】
【特許文献】
【０００４】
【特許文献１】特開２００６−３０６４２９号公報
【発明の概要】
【発明が解決しようとする課題】
【０００５】
しかしながら、特許文献１に記載の収納ケースは、蓋部と容器部を係止するために、蓋部に形成された係止部材と、その両側に設けられた２個の補助止め具の３つの部材を有するが、２個の補助止め具は横幅が広い係止部材の両側に位置しているため２個の補助止め具も用いて蓋部と容器部を係止する場合、１個目の補助止め具を手で係止し、その手を２個目の補助止め具に移動し、２個目の補助止め具を手で係止するという３つの動作を伴うものであり非常に面倒であった。さらに、それゆえ、２個の補助止め具を使用せずに蓋部に形成された係止部材のみの係止だけにより持ち運んだ際には、上下の動きにより蓋部に形成された係止部材の係止が解除され、内容物が散乱するおそれがあった。
【０００６】
そこで、本発明では、容器本体の荷重によって容器本体と蓋部を係止する係止部材を有するとともに、補助的な係止部材を有しながら、補助的な係止部材を１度の動作で容器本体と蓋部を係止することにより、補助的な係止部材の利便性を向上させることができる収納容器を提供することを目的とする。
【課題を解決するための手段】
【０００７】
〔１〕本発明は、上記課題を解決するために発明者らにより鋭意工夫されたものであり、物品を収納する容器本体と、前記容器本体に対して開閉可能である蓋部と、一端部側において他端部側に向かって傾斜して突設された第一係止部材当接部を備えており、他端部側において前記蓋部に設けられた第一係止部材と、中央部において突設された第二係止部材突起部を備えており、閉蓋状態において前記第一係止部材を間に挟む両端部側において前記容器本体に設けられた第二係止部材を有し、前記第一係止部材当接部が、前記容器本体の荷重によって前記容器本体の側面に蓋部側とは反対に傾斜して突設された容器本体当接部と係止することにより前記容器本体と前記蓋部を係止し、前記第二係止部材突起部が、前記蓋部に突設された蓋部突起部と係止することにより前記容器本体と前記蓋部を係止することを特徴とする収納容器である。
【０００８】
〔２〕そして、前記第一係止部材及び前記第二係止部材により、前記容器本体と前記蓋部を係止した状態において、第一係止部材の一端部の端面と前記第二係止部材の両端部の端面が面一であることを特徴とする前記〔１〕に記載の収納容器である。
【０００９】
〔３〕そして、前記蓋部の天面に回動可能に設けられたハンドルを有することを特徴とする前記〔１〕又は〔２〕に記載の収納容器である。
【発明の効果】
【００１０】
本発明に記載の収納容器によれば、容器本体の荷重によって容器本体と蓋部を係止する係止部材を有するとともに、補助的な係止部材を有しながら、補助的な係止部材を１度の動作で容器本体と蓋部を係止することにより、補助的な係止部材の利便性を向上させることができる。
【図面の簡単な説明】
【００１１】
【図１】本件発明の一実施形態において、第二係止部材により係止している閉蓋状態の全体斜視図である。
【図２】本件発明の一実施形態において、第二係止部材が外されている閉蓋状態の全体斜視図である。
【図３】本件発明の一実施形態において、開蓋状態の全体斜視図である。
【図４】図１において、第二係止部材を切断するＡ−Ａ線断面図である。
【図５】図１において、第一係止部材および第二係止部材を切断するＢ−Ｂ線断面図である。
【図６】図２において、第二係止部材を切断するＣ−Ｃ線断面図である。
【発明を実施するための形態】
【００１２】
以下、本発明の一実施形態である収納容器１を、図面に示す実施形態に基づいて詳細に説明する。また、説明に出てくる上下方向は、図１、図２などにおける容器本体２の底面２２と蓋部３の天面３２を結ぶ方向を意味する。なお、以下に説明する一実施形態は、本発明を実施するに好ましい具体例であるから、技術的に種々の限定がなされているが、本発明は、以下の説明において特に発明を限定する旨明記されていない限り、これらの形態に限定されるものではない。
【００１３】
図１から図３に示すように、本発明の一実施形態である収納容器１は、物品を収納する容器本体２と、容器本体２の開口を覆い容器本体２に対して開閉可能である蓋部３、蓋部３の天面３２に軸着されたハンドル６を備えており、蓋部３で容器本体２の開口を覆っているとき、外観の形状は略直方体である。ハンドル６は、蓋部３の天面３２の中央部に回動可能に設けられており、蓋部３の天面３２に対して直立することができる。そして、蓋部３及び容器本体２の一端を枢設してヒンジ機構７とし、そのヒンジ機構７を支点に蓋部３が容器本体２の開口を開け閉め可能に回動することができる。また、収納容器１の材質は、弾性変形することができ、さらに軽量化、低コスト化などのため、プラスチックなどの高分子材材料であることが好ましい。なお、本実施形態において、収納容器１の外観の形状は略直方体であるが、他の実施形態において、略立方体形状、略円柱形状、略楕円柱形状などの形状を採用することができる。
【００１４】
容器本体２は、略矩形状の底面２２に側面を立設させた略直方体形状で開口を有する部材である。容器本体２の内部に釣り道具、キャンプ道具、防災備品、飲食物、工具などを収納することができる。
【００１５】
そして、図３などに示すように、容器本体２におけるヒンジ機構７が位置する側面とは反対側の側面中央の上側には、第一係止部材４の第一係止部材当接部４１と係止することができる容器本体当接部２１が設けられている。容器本体当接部２１は、図５に示すように、容器本体２から外側に向かって膨らむよう湾曲する板状の部材である。
【００１６】
そして、図３などに示すように、容器本体２におけるヒンジ機構７が位置する側面とは反対側の側面中央の上側には、第二係止部材５が回動可能に別体として枢設されている。
【００１７】
そして、容器本体２における容器本体当接部２１が設けられている側面には、五角形状の角柱である容器本体突設部２３が、第二係止部材５が取り付けられる側面の第二係止部材５の両側左右に二つ突設されている。図１に示すように、容器本体突設部２３は外側から内側下方に向かって傾斜面２３１を有して下端２３ａに至り、この下端が第二係止部材５の両端部５ｂ・５ｂの端面と面一となっている。これにより、ハンドル６を持って収納容器１を持ち運ぶときに、何かと接触したとしても第二係止部材５の両端部５ｂ・５ｂが接触せずに容器本体突設部２３が接触し、その接触した物又は人などに傷を負わせることを防ぐことができる。
【００１８】
蓋部３は、容器本体２の開口を覆う形状を有しており、天面３２の周囲に側面を有する箱状の部材である。図１、図２などに示すように、蓋部３の天面３２の中央部に扁平な凹部３３が設けられている。その凹部３３は、ハンドル６を倒したときにハンドルを収容することができ、そのときハンドル６の側面と天面３２とがおおよそ同一平面となる。
【００１９】
そして、図３に示すように、蓋部３におけるヒンジ機構７が位置する側面とは反対側の側面中央に、第一係止部材４が一体として固設されている。
【００２０】
そして、図２、図３などに示すように、蓋部３の天面３２側における第一係止部材４が固設されている側の端部に第二係止部材５の第二係止部材突起部５１と当接して係止することができる略三角柱状の蓋部突起部３１が所定の間隔をあけて二つ設けられている。蓋部突起部３１が、第二係止部材５の第二係止部材突起部５１と係止することにより、蓋部３が容器本体２に対して開かないようになる。そのため、ハンドル６を持って収納容器１を持ち運ぶときに上下に動き第一係止部材４による係止が解除されてしまった場合においても、容器本体２に収納した物品が飛散することがないという補助的な役割を果たす。なお、第二係止部材５が弾性変形可能な材質からなるため、第二係止部材突起部５１と蓋部突起部３１が係止しても少し力を入れることによって、第二係止部材突起部５１と蓋部突起部３１の係止を解除することができる。
【００２１】
第一係止部材４は、蓋部３の側面中央に蓋部３と他端部４ｂ側において一体として固設されており、屈曲した略板状である部材である。第一係止部材４の一端部４ａ側に設けられた後述する第一係止部材当接部４１が、容器本体２の荷重によって容器本体当接部２１と係止して容器本体２と蓋部３を係止する。
【００２２】
そして、図５に示すように、第一係止部材４の一端部４ａ側には、他端部４ｂ側に向かって傾斜した板状の第一係止部材当接部４１が突設されている。容器本体２との関係において、第一係止部材当接部４１は、蓋部３を容器本体２に対して閉じたときに、容器本体２の容器本体当接部２１が設けられた側面の上方に向かって傾斜して第一係止部材４の一端部４ａ側に突設されている。
【００２３】
第二係止部材５は、容器本体２におけるヒンジ機構７が位置する側面とは反対側の側面上側に両端部５ｂ・５ｂを回動可能に設けられており、中央部５ａで屈曲した略コの字状の板状部材である。第二係止部材５の中央部５ａに設けられた後述する第二係止部材突起部５１が、蓋部３の天面３２側に設けられた蓋部突起部３１と係止して容器本体２と蓋部３を係止する。
【００２４】
そして、図３から図６に示すように、第二係止部材５の中央部５ａには略三角柱形状の第二係止部材突起部５１が所定の間隔をあけて二つ設けられている。第二係止部材突起部５１が、蓋部３の蓋部突起部３１と係止することにより、蓋部３が容器本体２に対して開かないようになる。また、図１、図３に示すように、蓋部３が閉じられている状態において、両端部５ｂ・５ｂに第一係止部材４が挟まれる状態となるところ、両端部５ｂ・５ｂが中央部５ａを介して一体となり第二係止部材５を形成しているため、中央部５ａを操作するという一度の操作だけで第二係止部材突起部５１と蓋部３の蓋部突起部３１を係止させることができ、第二係止部材５の利便性を格段に向上させている。
【００２５】
そして、図１、図３に示すように、第二係止部材５を蓋部３に係止したときに、第二係止部材５の略コの字状に凹んでいる箇所に第一係止部材４が収まるようになっており、図１に示すように、第一係止部材４の一端部４ａの端面と第二係止部材５の両端部５ｂ・５ｂの端面が面一となっている。先行文献１には、第一係止部材４の一端部４ａに相当する部分が突出しているという課題もあったため、第一係止部材４の一端部４ａの端面と第二係止部材５の両端部５ｂ・５ｂの端面を面一とすることにより、ハンドル６を持って収納容器１を持ち運ぶときに、第一係止部材４の一端部４ａが何かと接触したはずみに第二係止部材５による係止が解除されて収納している物品が飛散することもなく、さらに、他者に接触して傷を負わせることを防ぐことができる。
【００２６】
ハンドル６は、収納容器１を持ち運ぶときに把持される略コの字状の部材である。ハンドル６の両端部が蓋部３の凹部３３に回動可能に設けられているため、ハンドル６を蓋部３の天面３２に対して直立させることができる。
【００２７】
そして、ハンドル６を持ち上げることにより、容器本体２の荷重により、第一係止部材当接部４１が容器本体当接部２１に当接して係止する。係止した容器本体当接部２１が、容器本体２の荷重により、第一係止部材当接部４１の傾斜面を下方向に押圧する。そして、容器本体当接部２１の先端が第一係止部材当接部４１の傾斜面を押圧すると、第一係止部材当接部４１に働く押圧力は、傾斜面によって容器本体２の側面方向に働く力として作用するため、第一係止部材４は容器本体２の側面に押し付けられる。また、図５に示すように、蓋部３を閉じたときに、第一係止部材当接部４１の先端の高さと容器本体当接部２１の先端の高さがほぼ同じ高さとなるため、容器本体２の内部に少しでも物品が入っていれば、容器本体２及びその内容物の荷重により、第一係止部材当接部４１と容器本体当接部２１は係止することができる。
【００２８】
そして、さらに容器本体当接部２１による第一係止部材当接部４１の傾斜面を下方向に押圧する力は、容器本体２に収納されている内容物の重さに応じて増えて、第一係止部材４が容器本体２の側面に押し付けられるので、容器本体当接部２１と第一係止部材当接部４１とをより強く係止することができる。
【符号の説明】
【００２９】
１・・・収納容器
２・・・容器本体
２１・・容器本体当接部
２２・・底面
２３・・容器本体突設部
２３ａ・下端
２３１・傾斜面
３・・・蓋部
３１・・蓋部突起部
３２・・天面
３３・・凹部
４・・・第一係止部材
４ａ・・一端部
４ｂ・・他端部
４１・・第一係止部材当接部
５・・・第二係止部材
５ａ・・中央部
５ｂ・・端部
５１・・第二係止部材突起部
６・・・ハンドル
７・・・ヒンジ機構
【図１】
2015113172.tif 000003
【図２】
2015113172.tif 000004
【図３】
2015113172.tif 000005
【図４】
2015113172.tif 000006
【図５】
2015113172.tif 000007
【図６】
2015113172.tif 000008